【事件の表示】
　特許第２９２０３５８号「パチンコ機」の請求項１ないし８に係る発明の特許に対する特許異議の申立てについて、次のとおり決定する。
【結　論】
　特許第２９２０３５８号の請求項１ないし８に係る特許を維持する。
【理　由】
1.手続の経緯
  本件特許第２９２０３５８号の請求項１ないし８に係る発明は、平成７年７月５日に特許出願され、平成１１年４月３０日に設定登録された。その後、平成１２年１月１２日に今戸晴美より特許異議の申立てがあった。
２．請求項１ないし８に係る発明
　本件特許の請求項１ないし８に係る発明（以下、本件第１ないし第８発明という）は、明細書の特許請求の範囲の請求項１ないし８に記載された次の事項により特定されるとおりのものである。
「【請求項１】
　予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動させた後に停止して図柄を確定する図柄制御手段と、図柄表示装置に機械的作動を付与する駆動機構と、該駆動を制御する駆動制御手段とを備え、各図柄表示部の停止図柄が所定の組み合わせであると、遊技者にとって種々の利益ある作動を生じさせるパチンコ機において、前記駆動制御手段が、各図柄表示部によってリーチ状態発生如何が示される前にあって、図柄表示態様がリーチ状態となる場合、及びリーチ状態とならない場合にあってはリーチ状態発生如何の最終決定をすることとなる図柄表示部の表示図柄が、図柄順列にあってリーチ状態となる図柄の近隣位置にある図柄である場合に、図柄表示装置に、それ以前の機械的作動とは区別される特異な作動からなるリーチ予見作動を付与する駆動制御内容を具備することを特徴とするパチンコ機。
【請求項２】
　予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動させた後に停止して図柄を確定する図柄制御手段と、図柄表示装置に機械的作動を付与する駆動機構と、該駆動を制御する駆動制御手段とを備え、各図柄表示部の停止図柄が所定の組み合わせであると、遊技者にとって種々の利益ある作動を生じさせるパチンコ機において、前記駆動制御手段が、各図柄表示部によってリーチ状態発生如何が示される前にあって、図柄表示態様がリーチ状態となる場合、及びリーチ状態とならない場合にあってはリーチ予告乱数からの抽選により予告表示すべきものと選択された場合に、図柄表示装置に、それ以前の機械的作動とは区別される特異な作動からなるリーチ予見作動を付与する駆動制御内容を具備することを特徴とするパチンコ機。
【請求項３】
　前記図柄表示装置が、予め定められた種々の図柄を変動表示する図柄表示部を備えた複数の図柄表示器からなるものであって、前記リーチ予見作動が、少なくとも一つの図柄表示器を、支点を中心として、二以上の所定位置間を一回乃至複数回、回動変換する作動形態である請求項１又は請求項２記載のパチンコ機。
【請求項４】
　前記図柄表示器を、複数個横方向に並設し、両側の図柄表示器を回動可能に縦方向の支軸によりで軸支して、両図柄表示器を回転駆動装置により図柄表示部が正面を向いた位置と、内外いずれかの方向に偏位した二位置に変換可能とすることにより前記図柄表示装置を構成すると共に、前記駆動制御手段によって制御されるリーチ予見作動が、両側の図柄表示器の一方又は両方を、図柄表示部が正面を向いた位置と、内外いずれかの方向に偏位した二位置に一回乃至複数回変換するものであることを特徴とする請求項１乃至請求項３記載のパチンコ機。
【請求項５】
　前記図柄表示装置が、予め定められた種々の図柄を変動表示する図柄表示部を備えた複数の図柄表示器からなるものであって、前記リーチ予見作動が、少なくとも一つの図柄表示器を、前後又は左右等の直線方向へ移動可能として、該直線方向の二以上の所定位置間を一回乃至複数回、移動変換する作動形態である請求項１又は請求項２記載のパチンコ機。
【請求項６】
　前記図柄表示装置が、予め定められた種々の図柄を変動表示する図柄表示部を備えた複数の図柄表示器からなるものであって、前面に前記図柄表示部を備えた図柄表示器を、三個横方向に並設し、中央の図柄表示器を前後動可能に保持して、前後駆動装置により、前部位置と後部位置とに進退変換可能とし、さらに左右の図柄表示器を左右動可能に保持して、左右駆動装置により、両図柄表示器が中央部で隣接する内側位置と、離間してその間に中央の表示部が臨む外側位置とに変換可能とすることにより前記図柄表示装置を構成すると共に、前記駆動制御手段によって制御されるリーチ予見作動が、左右の図柄表示器が外方位置にあるとき中央部の図柄表示器が前後方向に移動する駆動態様と、中央の図柄表示器が退避した位置にあるとき左右の図柄表示器が離近方向に移動する駆動態様とを組み合わせてなるものであることを特徴とする請求項３又は請求項５記載のパチンコ機。
【請求項７】
　前記図柄表示装置が、予め定められた種々の図柄を変動表示する図柄表示部を備えた複数の図柄表示器からなるものであって、前記図柄表示器のうち少なくとも一つの図柄表示器を、前後動可能に保持して、前後駆動装置により、前部位置と後部位置とに進退変換可能とし、さらに波打ち機構を介してその前後移動に伴って上下方向の波打ち運動を生じさせることにより前記図柄表示装置を構成すると共に、前記リーチ予見作動が、前後駆動装置を作動させて、その少なくとも一つの図柄表示器を定常位置と他の位置との間で一回乃至複数回前後移動させて、その少なくとも一つの表示器に波打ち運動を生じさせる作動形態であることを特徴とする請求項１記載又は請求項２記載のパチンコ機。　　　　　　　　　　　　　　
【請求項８】
　前記図柄表示装置が、予め定められた種々の図柄を変動表示する複数の図柄表示部を備えた単一の図柄表示器からなるものにおいて、前記リーチ予見作動が、図柄表示装置を、縦方向傾動，横方向傾動，前後方向移動，連続若しくは所定角度回動，上下方向移動，左右方向移動のいずれの作動又はその組み合わせからなる作動形態である請求項１又は請求項２記載のパチンコ機。」
３．特許異議の申立てについての判断
（１）申立て理由の概要
  特許異議申立人は、本件特許の請求項１ないし８に係る発明は、本件発明の出願日前に頒布された甲第１ないし８号証に記載された発明から容易に発明し得たものであり、特許法第２９条第２項の規定に違反して特許されたものであるからその特許を取り消すべきものである、と主張している。
（２）各証拠に記載された発明
　申立人が提出した甲第１ないし８号証には、それぞれ以下の発明が記載されている。
○甲第１号証（特開平７−６８０２７号公報）
　甲第１号証はパチンコ機に関するものであり、その段落【００１０】には「始動入賞玉検出器８の検出信号に基づき、可変表示装置４のＬＣＤ表示装置５により複数種類の図柄等からなる識別情報が可変表示される。ＬＣＤ表示装置５は横方向に並んだ３つの可変表示部を有し、後述するように、左図柄、中図柄、右図柄がスクロール表示される。そして、その可変表示の表示結果が予め定められた特定の表示態様（たとえば７７７等のぞろめ）となった場合に可変入賞装置９の開閉板１０が開成して打玉が入賞しやすい遊技者にとって有利な第１の状態となり、所定の遊技価値が付与可能な状態となる」、段落【００１５】には「・・・パチンコ遊技機の制御回路は、各種機器を制御するためのプログラムに従って、遊技制御を行なうマイクロコンピュータを含む基本回路２９」、段落【００２６】には「・・・ランダム３カウンタの値を読出し、その値が０または１のときＳ３５に進み、大当り予告２を行なうためのフラグがセットされた後Ｓ３６に進む。」と記載されている。
○甲第２号証（特開平６−１６５８５５４号公報）
　甲第２号証はパチンコ機に関するものであり、その段落【００１８】には「上記のように構成される可変ベルトユニット３０においては、通常の遊技状態においては、図２に示すように、スライド機構４２が後方に移動して停止した状態でベルト３３が回転駆動されるが、遊技状態が後述するリーチ状態になるとスライド用モータ４５が回転駆動されるため、・・・、該ローラ３２ｂ、３２ｃ部分を通過するベルト３３の外周面に形成される図柄５６〜５８がローラ３２ｂ、３２ｃの移動に沿って変形し、・・・、可変表示装置４の可変表示作動に対する興趣を持つことになる」、段落【００３３】には「・・・スライド機構４２が作動を開始する予め定めた条件として、リーチ状態となったこととして説明したが、他の条件、例えば、当りとなる確率が変更されたとき、当りとなることを予告するとき、あるいは変動開始から一定時間が経過したとき、等の遊技において生起し得るあらゆる条件のうちから任意に設定すれば良い。」と記載されている。
○甲第３号証（特開平５−３１２３３号公報）
　甲第３号証はパチンコ機に関するものであり、その段落【００７４】〜【００７６】および図１２に記載のパチンコ機は、リーチ状態となった場合、及びリーチ状態でない場合であって、右図柄が左図柄の近隣図柄である場合に、他とは異なる停止制御を行う技術が記載されている。
○甲第４号証（特開平６−３９１０８号公報）
　甲第４号証はパチンコ機に関するものであり、その段落【００２０】【００２１】には「・・・このとき図柄表示部８ａと図柄表示部８ｂの図柄が一致した場合には図柄表示部８ｃの変動状態を維持させながら、作動ソレノイド３１ａ、３１ｂが駆動し、リンク機構３４によって図７のように表示器７ａ、７ｂが横軸を中心として後方へ傾動し、・・・この図柄表示部８ｃが、異なった図柄で停止した場合には作動ソレノイド３１ａ、３１ｂの駆動が解除され、表示器７ａ、７ｂは起き上がって、元の直立状態に復帰する。」と記載されている。
○甲第５号証（特開平５−２１２１５０号公報）
　甲第５号証はパチンコ機に関するものであり、その段落【０００７】には「図柄組合わせ表示装置６を構成する三個の表示器７ａ、７ｂ、７ｃが横方向に並設され」、段落【００１１】【００１２】には「次に、図柄組合せ装置６の構成を図２〜８に従ってさらに詳細に説明する。三個の表示器７ａ、７ｂ、７ｃは、・・・、左右の表示器７ａ、７ｂは同様の回転駆動装置により回動可能となっている。すなわち、・・・表示器７ａ、７ｂは前記支軸３０を中心として前記図柄表示部８ａ、８ｂが内側に偏位している図６の定常位置と、図７の正面を向いた位置とに往復動する」、段落【００１８】【００１９】には「このとき図柄表示部８ａと図柄表示部８ｂの図柄が一致した場合には図柄表示部８ｃの変動状態を維持させながら、作動ソレノイド３１ａ、３１ｂが駆動し、定常状態で図柄表示部８ａ、８ｂを内側に偏位させる図６の位置から図柄表示部８ａ、８ｂが正面に位置する図７の位置へ交互に作動すると共に、・・・、この図柄表示部８ｃが、異なった図柄で停止した場合には作動ソレノイド３１ａ、３１ｂの駆動が解除されて表示器７ａ、７ｂは図柄表示部８ａ、８ｂを内向きに偏位させる図６の定常位置に復帰し、・・・」と記載されている。
○甲第６号証（特開平６−７５１０号公報）
　甲第６号証はパチンコ機に関するものであり、その段落【０００６】【０００９】には、「・・・図柄組合わせ表示装置６を構成する三個の表示器７ａ、７ｂ、７ｃが横方向に並設され」、「・・・その図柄表示部８ａ、８ｂ、８ｃはＬＥＤ又は液晶によって構成され、「０」〜「９」、「Ａ」、「Ｊ」、「Ｌ」・・・等、数字及びアルファベットからなる７セグメント指示器で表現可能な図柄が表示される」、段落【００１３】には「・・・前記パルスモータＭａ、Ｍｂが駆動すると、前記連係軸３８が駆動軸３６に対して回動し、摺動溝３５により左右方向の偏位のみが有効となり、該偏位により、前記表示器７ａ、７ｂは上述の内側位置と、外側位置とを往復動する」、段落【００１６】には「前記パルスモータＭｃが駆動すると、前記連係軸４７が駆動軸４５に対して回動し、摺動溝４４により前後方向の偏位のみが有効になり、該偏位により、前記表示器７ｃは上述の前部位置と、後部位置とを往復移動する」、段落【００１１】には「前記表示器７ａ、７ｂは左右駆動装置により、収納部３０内で中央部で隣接する内側位置（図７参照）と、離間してその間に中央の表示部７ｃが臨む外側位置（図６参照）とに変換可能となっている」、段落【００１４】には「表示器７ｃは背壁３１、３１間で、前後駆動装置により、前記表示器７ａ、７ｂ間に位置する前部位置（図８参照）と、後部位置（図９参照）とに進退変換可能としている」、段落【００２０】には、「図柄表示部８ａと図柄表示部８ｂの図柄が一致した場合には図柄表示部８ｃの変動状態を維持させながら、パルスモータＭｃが駆動し、表示器７ａ、７ｂを定常位置（外側位置）としたまま、前後方向へ往復動し、」、段落【００２２】には「一方、・・・「大当り」となって報知装置がファンファーレを発すると共に表示器７ｃはパルスモータＭｃの駆動により後退して、後部位置に停止する」、段落【００２４】には「ここで、特定領域２５を遊技球が通過したときは、左右駆動装置が作動し、パルスモータＭａ、Ｍｂが駆動して、表示器７ａ、７ｂは中央で隣接する図７の内側位置と、図６の外側位置間を往復動し、これにより、次の回の開放作動への移行が保証されたことを示す」と記載されている。
○甲第７号証（特開平６−７５０９号公報）
　甲第７号証はパチンコ機に関するものであり、その段落【００１０】には「次に、図柄組合わせ表示装置６の構成を・・・三個の表示器７ａ、７ｂ、７ｃの前記図柄図柄表示部８ａ、８ｂ、８ｃはＬＥＤ又は液晶によって構成され、「０」〜「９」、「Ａ」、「Ｊ」、「Ｌ」・・・等、数字及びアルファベットからなる７セグメント指示器で表現可能な図柄が表示される」、段落【００１５】には「而して、パルスモータＭａ、Ｍｂ、Ｍｃ、回動円板３５及び駆動アーム３８ａ、３８ｂ、３８ｃ等により、各表示器１５７ａ、７ｂ、７ｃを前後に往復駆動制御する前後駆動装置が構成され、該表示器７ａ、７ｂ、７ｃは前部位置と後部位置とに進退変換され、」、段落【００１６】には「上述の表示器７ａ、７ｂ、７ｃのうち表示器７ｃのみは、その前後方向移動に際して上下方向の波立ち運動を生ずる波打ち機構を具備している。」、段落【００２５】には「「大当り」となって、・・・、すなわち、表示器７ａ、７ｂと表示器７ｃとは交互に前方移動することとなるこのとき表示器７ｃは上述の波立ち機構により、上下方向の波立ち運動を生じ、表示器７ａ、７ｂとは異なった運動形態となる」と記載されている。
甲第８号証（特開平７−６８０３１号公報）
　甲第８号証はパチンコ機に関するものであり、その段落【００９６】には「・・・識別情報（図柄という場合がある）を可変表示する特別図柄表示器３５ａ〜３５ｃを有する可変表示装置３０が配置されている」、段落【００２７】には「・・・リーチになると同時に揺動モータ４５が駆動されて特別図柄表示器３５ａ〜３５ｃが左右に１往復揺動される（揺動周期は、４秒）」、段落【００２８】には「・・・リーチになると同時に揺動モータ４５が駆動されて特別図柄表示器３５ａ〜３５ｃが左右に往復揺動されることに加えて、前後モータ３８が駆動されて特別図柄表示器３５ａ〜３５ｃが前後に駆動される。」と記載されている。
（３）対比・判断
（本件第１発明について）
　本件第１発明と甲第１号証に記載された発明とを対比すると、甲第１号証記載の「リーチ予告」は本件第１発明の「リーチ予見作動」に相当するものであるから、両者は「予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動させた後に停止して図柄を確定する図柄制御手段と、各図柄表示部の停止図柄が所定の組み合わせであると、遊技者にとって種々の利益ある作動を生じさせるパチンコ機」であって、「各図柄表示部によってリーチ状態発生如何が示される前」に「リーチ予見作動」を行う点で一致するものであるが、（ａ）本件第１発明のリーチ予見作動が、「図柄表示態様がリーチ状態となる場合、及びリーチ状態とならない場合にあってはリーチ状態発生如何の最終決定をすることとなる図柄表示部の表示図柄が、図柄順列にあってリーチ状態となる図柄の近隣位置にある図柄である場合」に行うものであるのに対して、甲第１号証記載の発明では、リーチ状態となる場合やリーチ状態にならない場合、さらには図柄の順序に関係なくランダムにリーチ予見作動を行うものである点、及び（ｂ）本件第１発明のリーチ予見作動が「図柄表示装置に機械的作動を付与する駆動機構と、該駆動を制御する駆動制御手段」とを備えることで、「図柄表示装置に、それ以前の機械的作動とは区別される特異な作動」であるのに対し、甲第１号証記載のものは音、ランプ、画面表示等で報知するものである点で相違する。
　そこで、上記相違点（ａ）について検討すると、甲第２ないし８号証のいずれにも、「図柄表示態様がリーチ状態となる場合、及びリーチ状態とならない場合にあってはリーチ状態発生如何の最終決定をすることとなる図柄表示部の表示図柄が、図柄順列にあってリーチ状態となる図柄の近隣位置にある図柄である場合」にリーチ予見作動を行うとする記載も、またそれを示唆する記載もない。なお、当該構成を示唆すると申立人が主張する甲第３号証に記載の発明は、リーチ状態における表示態様に関し、リーチ状態とならない場合にあってはリーチ状態発生如何の最終決定をすることとなる図柄表示部の表示図柄が、図柄順列にあってリーチ状態となる図柄の近隣位置にある図柄である場合にも、リーチ時と同様に長い時間をかけて停止させるというものであり、本件第１発明のようにリーチ予見作動をするかしないかの判断とするものではないから、これによって上記「図柄表示態様がリーチ状態となる場合、及びリーチ状態とならない場合にあってはリーチ状態発生如何の最終決定をすることとなる図柄表示部の表示図柄が、図柄順列にあってリーチ状態となる図柄の近隣位置にある図柄である場合」にリーチ予見作動を行うことを想到しうるものではない。
　また、相違点（ｂ）について検討すると、なるほど、図柄表示部を機械的に作動する技術は甲第４ないし８号証に記載されているものの、これらはいずれもリーチ状態での作動であって、本件第１発明のように「リーチ予見作動」についてのものではなく、またそれを示唆する記載もない。仮に、甲第４ないし８号証に記載された機械的作動を「リーチ予見作動」に適用することが技術的に容易であるとしても、上記相違点（ａ）の想到困難性を覆すものではない。
　そして本件第１発明は、甲号各証にない上記構成によって、明細書記載の格別の効果を奏するものと認める。
　したがって、本件第１発明は、申立人が提出した甲第１ないし８号証記載の発明に基づいて、容易になし得たものとすることはできない。
（本件第２発明について）
  本件第２発明と甲第１号証に記載された発明とを対比すると、甲第１号証記載の「リーチ予告」は本件第２発明の「リーチ予見作動」に相当するものであるから、両者は「予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動させた後に停止して図柄を確定する図柄制御手段と、各図柄表示部の停止図柄が所定の組み合わせであると、遊技者にとって種々の利益ある作動を生じさせるパチンコ機」であって、「各図柄表示部によってリーチ状態発生如何が示される前」に「リーチ予見作動」を行う点で一致するものであるが、（ａ）本件第２発明のリーチ予見作動が、「図柄表示態様がリーチ状態となる場合、及びリーチ状態とならない場合にあってはリーチ予告乱数からの抽選により予告表示すべきものと選択された場合」に行うものであるのに対して、甲第１号証記載の発明では、リーチ状態となる場合やリーチ状態にならない場合のいずれにおいてもランダム抽選により予告表示すべきものと選択された場合に行うものである点、及び（ｂ）本件第２発明のリーチ予見作動が「図柄表示装置に機械的作動を付与する駆動機構と、該駆動を制御する駆動制御手段」とを備え、「図柄表示装置に、それ以前の機械的作動とは区別される特異な作動」であるのに対し、甲第１号証記載のものは音、ランプ、画面表示等で報知するものである点で相違する。
　そこで上記相違点（ａ）について検討すると、本件第２発明のものは、リーチ状態になる場合には１００％リーチ予見作動を行い、リーチにならない場合には抽選でリーチ予見動作を決定する点で甲第１号証の予見作動決定方法とは明らかに異なるものであり、かつ、この甲第１号証記載の決定方法から容易になし得るとする技術的根拠もない。さらに、甲第２ないし８号証のいずれにも、「図柄表示態様がリーチ状態となる場合、及びリーチ状態とならない場合にあってはリーチ予告乱数からの抽選により予告表示すべきものと選択された場合」にリーチ予見作動を行うとする記載も、またそれを示唆する記載もない。
　また、相違点（ｂ）について検討すると、なるほど、図柄表示部を機械的に作動する技術は甲第４ないし８号証に記載されているものの、これらはいずれもリーチ状態での作動であって、本件第１発明のうように「リーチ予見作動」についてのものではなく、またそれを示唆する記載もない。仮に、甲第４ないし８号証に記載された機械的作動を「リーチ予見作動」に適用することが技術的に容易であるとしても、上記相違点（ａ）の想到困難性を覆すものではない。
　そして本件第２発明は、甲号各証にない上記構成によって、明細書記載の格別の効果を奏するものと認める。
　したがって、本件第２発明は、申立人が提出した甲第１ないし８号証記載の発明に基づいて、容易になし得たものとすることはできない。
（本件第３ないし８発明について）
　本件第３ないし８発明は、いずれも直接的・間接的に第１発明又は第２発明を引用する発明であるから、甲号各証との対比をするまでもなく、甲第１ないし８号証記載の発明に基づいて、容易になし得たものとすることはできない。
（４）むすび
　以上のとおり、異議申立人が主張する理由及びその証拠によっては本件請求項１ないし８に係る発明の特許を取り消すことはできない。
　また、本件請求項１ないし８に係る発明の特許を取り消すべき他の理由を発見しない。
　よって、結論のとおり決定する。
【異議決定日】
平成１２年７月１１日（２０００．７．１１）